(57)【特許請求の範囲】
【請求項１】
三つ折りタイプのベビーカーの折り畳み操作装置において、手押し杆の中央水平杆部の両端に、それぞれ手押し杆を構成する左右のパイプの頂端水平部を上記中央水平杆部の軸線に対して直交する軸線周りに歯車機構を介して回動可能に連結するとともに、上記手押し杆の中央水平杆部に折り畳み操作装置のハウジングを装着し、
上記手押し杆の中央水平杆部の両端部はそれぞれジョイントケーシングに軸支されており、そのジョイントケーシングには、前記手押し杆を構成する左右のパイプの頂端水平部が上記手押し杆の中央水平杆部と同一軸線上となる展開状態或いはそれに直交するようになる折り畳み状態になるように、上記左右のパイプがそれぞれ手押し杆の中央水平杆部の軸線に対して直交する回動軸により回動可能に軸支され、上記左右の各パイプがそれぞれ固着された回動軸に設けられた傘歯車が前記手押し杆の中央水平杆部の両端部に装着された傘歯車にそれぞれ噛合され、
上記ハウジングによって上記中央水平杆部をその軸線周りに回動させることにより、上記手押し杆を構成する左右のパイプを折り畳み或いは展開状態とするようにしたことを特徴とするベビーカーの折り畳み操作装置。
【請求項２】
上記ハウジング内には、ベビーカーの展開状態を維持するロック部材のロックを解除するロック解除機構が設けられていることを特徴とする、請求項１記載のベビーカーの折り畳み操作装置。
【請求項３】
上記ハウジング内には、そのハウジングに揺動可能に枢着されたロック解除操作用の操作レバーと、その操作レバーの揺動により前記手押し杆の中央水平杆部の軸線に直交する方向に進退するプレート部材とが設けられており、そのプレート部材には上記手押し杆の中央水平杆部の軸線に対して傾斜した一対の長孔が形成され、その各長孔に、上記手押し杆の中央水平杆部内に軸線方向に摺動可能に挿通され、ワイヤを介して前記ロック部材に接続されている左右の摺動子から突設された突起がそれぞれ係合されていることを特徴とする、請求項２記載のベビーカーの折り畳み操作装置。
【請求項４】
上記プレート部材には操作レバー側に向かって下方に傾斜する傾斜板部が形成されており、その傾斜板部に操作レバーの先端部を圧接することによりプレート部材が前記手押し杆の中央水平杆部の軸線に直交する方向に進退することを特徴とする、請求項３記載のベビーカーの折り畳み操作装置。
【請求項５】
手押し杆を構成する左右のパイプの頂端水平部にそれぞれ上下方向に延びる円筒状部材を固着し、上記左右の円筒状部材に対して手押し杆の中央水平杆部の端部を上記円筒状部材の軸線方向に摺動可能に、且つ上記円筒状部材がその軸線回りに回動可能となるように連結するとともに、中央水平杆部の端部に設けられた突起部を上記円筒状部材に設けられた傾斜案内溝に係合させ、手押し杆の中央水平杆部を上記円筒状部材に対して相対的に上下方向に摺動させることによって円筒状部材を回動させ、上記手押し杆を構成する左右のパイプを折り畳み或いは展開状態とするようにしたことを特徴とするベビーカーの折り畳み操作装置。
【請求項６】
上記円筒状部材は互いに同心状に配設され相対的に軸線回りに回動可能な内筒及び外筒により構成されており、内筒及び外筒の側面には前記中央水平杆部の上下動及び上記円筒状部材の回動を許容する開口部が形成されるとともに、上記内筒に傾斜案内溝が設けられ、内筒及び外筒は両筒と同芯状に配設されたコイルばねによって連動連結されていることを特徴とする、請求項５記載のベビーカーの折り畳み操作装置。
【請求項７】
上記中央水平杆部の両端部には左右に進退可能なロック爪片が設けられており、円筒状部材の開口部の上部には手押し杆が展開状態時に上記ロック爪片が係合してその展開状態を維持する第１の切り欠き凹部が形成され、開口部の下部には手押し杆の折り畳み時に上記ロック爪片が係合し折り畳み状態を維持する第２の切り欠き凹部が形成されていることを特徴とする、請求項５または６記載のベビーカーの折り畳み操作装置。
【請求項８】
上記中央水平杆部には、ベビーカーの展開状態を維持するロック部材の解除操作を行う解除操作装置が設けられており、その解除操作装置の操作レバーに上記ロック爪片が連動連結されていることを特徴とする、請求項７記載のベビーカーの折り畳み操作装置。
【請求項９】
三つ折りタイプのベビーカーの手押し杆の中間部の２カ所をジョイントにより互いに折り畳み可能に連結するとともに、両ジョイント間の中央水平杆部に設けられたハウジング内に、操作レバーによって中央水平杆部の軸線まわりに回動される歯車を設け、その歯車に一端を固着された形状記憶スプリングが中央水平杆部の軸線に沿うようにしてジョイントを越えて延び、その形状記憶スプリングの他端が上記ジョイントの外側ヒンジに固着され、
形状記憶スプリングは、操作レバーからの操作によって歯車が回動して捻りを加えられると、中央水平杆部の軸線に直交する軸線まわりに曲がる、ことを特徴とするベビーカーの折り畳み操作装置。
【請求項１０】
三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、
後側連結バーは、中間バーと、中間バーの左右にジョイントを介して連結された端部バーとを有し、
折り畳み操作機構は、
中間バーに嵌装された筒状体と、
筒状体の左右にそれぞれ固設された第１の傘歯車と、
ジョイントのジョイント軸にそれぞれ装着されるとともに第１の傘歯車にそれぞれ噛合する第２の傘歯車と、
筒状体から外側方に突出する操作レバーとを有することを特徴とするベビーカーの折り畳み操作装置。
【請求項１１】
操作レバー内には中間バーに対する筒状体の位置固定を行うロックピンが摺動可能に設けられていることを特徴とする、請求項１０記載のベビーカーの折り畳み操作装置。
【請求項１２】
操作レバーはその基端部が筒状体に対し所定角度だけ前後に揺動可能に枢着されており、上記操作レバー内に配設されたロックピンの外端部に設けられたガイドピンが、操作レバーの対向する内面に設けられた後方自由端側に向かって拡開するＶ字状のガイド溝に係合されていることを特徴とする、請求項１０または１１記載のベビーカーの折り畳み操作装置。
【請求項１３】
筒状体に固設された第１の傘歯車に噛合する第２の傘歯車を、ジョイント軸と同心状のコイルばねによって、後側連結バーに設けられたジョイントの外側ヒンジに連結したことを特徴とする、請求項１０記載のベビーカーの折り畳み操作装置。
【請求項１４】
第２の傘歯車にそれぞれフランジ状部材を固設し、その各フランジ状部材を連結杆を介してそれぞれ左右の端部バーに連結するとともに、左右のフランジ状部材間に、そのフランジ状部材を介して左右の端部バーを折り畳み状態に付勢するスプリングを張設したことを特徴とする、請求項１０記載のベビーカーの折り畳み操作装置。
【請求項１５】
前脚を連結する前側連結バーにおける左右の端部バー間にも、左右の端部バーを折り畳み状態に付勢するスプリングを張設したことを特徴とする、請求項１４記載のベビーカーの折り畳み操作装置。
【請求項１６】
三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、
後側連結バーは、中間バーと、中間バーの左右にジョイントを介して連結された端部バーとを有し、
折り畳み操作機構は、
中間バーに回動可能に装着されたプーリーと、
プーリーに設けられた操作レバーと、
プーリーにそれぞれその一端が固着された２本のワイヤとを有し、
各ワイヤの他端を案内部材を介して左右の端部バーに連結したことを特徴とするベビーカーの折り畳み操作装置。
【請求項１７】
操作レバー内には中間バーに対する筒状体の位置固定を行うロックピンが摺動可能に設けられていることを特徴とする、請求項１６記載のベビーカーの折り畳み操作装置。
【請求項１８】
操作レバーの後端部にはロック解除操作片が揺動可能に枢着されており、そのロック解除操作片がリンクを介して上記ロックピンに連結されていることを特徴とする、請求項１７記載のベビーカーの折り畳み操作装置。
【請求項１９】
三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、
後側連結バーは、中間バーと、中間バーの左右にジョイントを介して連結された端部バーとを有し、
折り畳み操作機構は、
中間バーに嵌装され、左右対称的な傾斜長穴が設けられた筒状体と、
筒状体に設けられた操作レバーと、
上記中間バーに沿って移動可能な左右一対の連結杆とを有し、
各連結杆の一端を左右の各ジョイントの外側ヒンジに対して各ジョイントの偏心位置にそれぞれ連結し、各連結杆の他端部に設けられた突起部を上記筒状体の傾斜長穴に係合したことを特徴とするベビーカーの折り畳み操作装置。
【請求項２０】
三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、
後側連結バーは、中間バーと、中間バーの左右にジョイントを介して連結された端部バーとを有し、
折り畳み操作機構は、
中間バーの一側に設けられた片方の端部バーに一体的に設けられ、その端部バーを延長するように形成された操作杆と、
その操作杆の中間部と他方の端部バーの中間部とを連結するリンクとを有することを特徴とするベビーカーの折り畳み操作装置。
【発明の詳細な説明】
【０００１】
【発明の属する技術分野】
本発明は、三つ折りタイプのベビーカーの折り畳み操作装置に関する。
【０００２】
【従来の技術】
一般に、乳幼児を散歩や買い物等のために屋外に連れ出す場合に使用するベビーカーにおいては、必要に応じて折り畳み、収納や携帯が容易になるようにしたものが種々提案されている。
【０００３】
すなわち、図１９は上記折り畳み可能なベビーカーの斜視図であって、そのベビーカーは、前輪１１を有する左右一対の前脚１２、後輪１３を有する左右一対の後脚１４、ほぼＵ字状に屈曲された手押杆１５、左右一対のアームレスト１６、及びそのアームレスト１６、１６の間に掛け渡された着脱可能なガードアーム１７によって構成されている。上記手押杆１５を構成する左右のパイプ１８の先端近傍部にはそれぞれ上記アームレスト１６の一端が枢着されており、その各アームレスト１６の他端に前脚１２の頂端部が枢着されている。また、左右の後脚１４の頂端部も上記アームレスト１６の中間部に枢着されており、その後脚１４の中間部にはく字状に屈曲されたブラケット１９の一端が枢着されている。そして、そのブラケット１９の中間位置に前記手押杆１５を構成する左右のパイプ１８の先端がそれぞれ枢着されており、ベビーカーの展開状態において、上記ブラケット１９の他端に形成された係合部に上記パイプ１８の下端部に摺動可能に装着されたロック部材２０が係合し、その展開状態を維持するようにしてある。
【０００４】
一方、上記左右の前脚１２は前側連結バー２１によって連結されており、左右の後脚１４は後側連結バー２２によって連結されている。さらに、各前脚１２の中間部には連結バー２３の前端が枢着され、その連結バー２３の後端が上記ブラケット１９とともにパイプ１８の先端部に枢着され、また左右の連結バー２３の中間部が上側連結バー２４によって連結されている。
【０００５】
しかして、図１９に示すように、パイプ１８の下端に設けられているロック部材２０をブラケット１９の上端に設けられている係止部に係合することによって、ベビーカーが使用可能な展開状態に保持される。一方、手押杆１５に設けられている操作装置２５を操作することにより上記ロック部材２０とブラケット１９との係合が離脱されると、アームレスト１６及び連結バー２３が前記パイプ１８と各枢着点を中心として上方に揺動可能となり、前脚１２と後脚１４とがほぼ平行状態に揺動され、携帯に便利なように折り畳むことができる。
【０００６】
ところで、手押杆１５、前側連結バー２１、後側連結バー２２、及び上側連結バー２４は、２つの同一垂直面内において各中間部の２個所がジョイントにより折り畳み可能としてある。したがって、上述のように前脚１２と後脚１４を平行状態に折り畳んだ後、左右のパイプ１８を前方に移動させると、上記手押杆１５、前側連結バー２１、後側連結バー２２及び上側連結バー２４の両端部が前方に折り曲げられ、ベビーカーを図２０に示すようにさらにコンパクトに折り畳むことができる。すなわち、三つ折り状態に折り畳むことができる。
【０００７】
【発明が解決しようとする課題】
ところが、上記ベビーカーをコンパクトに折り畳む場合には、座席部を薄くなる状態に折り畳んだ後、利用者が手押し杆１５の両側部やアームレスト１６等を手で保持して折り畳んだり、或いは上記手押し杆１５の中央部等を保持してベビーカーを傾け両側部分を重力のかかる方向に折り畳むことが必要である。
【０００８】
したがって、上述のように手でもって折り畳み動作を行う場合には、利用者はベビーカーを押している状態から手を持ち替える必要があり、両手で操作しなければならず、幼児を抱いた状態での操作は困難である等の問題がある。また、重力を利用する場合は折り畳みの抵抗を軽減させるためジョイント部等が多くなり、ベビーカーの本体剛性が低下する傾向にあり、また操作感がよくわからずロック感が利用者に伝わりにくい等の問題がある。
【０００９】
本発明は、このような点に鑑み、ベビーカーの三つ折り状態への折り畳み操作を遠隔操作によって行うことができ、利用者がベビーカーの中央構成部品から一度も手を離すことなく連続した動作でベビーカーを折り畳むことができるようにした折り畳み操作装置を得ることを目的とする。
【００１０】
【課題を解決するための手段】
請求項１に係る発明は、三つ折りタイプのベビーカーの折り畳み操作装置において、手押し杆の中央水平杆部の両端に、それぞれ手押し杆を構成する左右のパイプの頂端水平部を上記中央水平杆部の軸線に対して直交する軸線周りに歯車機構を介して回動可能に連結するとともに、上記手押し杆の中央水平杆部に折り畳み操作装置のハウジングを装着し、上記手押し杆の中央水平杆部の両端部はそれぞれジョイントケーシングに軸支されており、そのジョイントケーシングには、前記手押し杆を構成する左右のパイプの頂端水平部が上記手押し杆の中央水平杆部と同一軸線上となる展開状態或いはそれに直交するようになる折り畳み状態になるように、上記左右のパイプがそれぞれ手押し杆の中央水平杆部の軸線に対して直交する回動軸により回動可能に軸支され、上記左右の各パイプがそれぞれ固着された回動軸に設けられた傘歯車が前記手押し杆の中央水平杆部の両端部に装着された傘歯車にそれぞれ噛合され、上記ハウジングによって上記中央水平杆部をその軸線周りに回動させることにより、上記手押し杆を構成する左右のパイプを折り畳み或いは展開状態とするようにしたことを特徴とする。
【００１２】
請求項２に係る発明は、請求項１に係る発明において、上記ハウジング内には、ベビーカーの展開状態を維持するロック部材のロックを解除するロック解除機構が設けられていることを特徴とする。
【００１３】
請求項３に係る発明は、請求項２に係る発明において、上記ハウジング内には、そのハウジングに揺動可能に枢着されたロック解除操作用の操作レバーと、その操作レバーの揺動により前記手押し杆の中央水平杆部の軸線に直交する方向に進退するプレート部材とが設けられており、そのプレート部材には上記手押し杆の中央水平杆部の軸線に対して傾斜した一対の長孔が形成され、その各長孔に、上記手押し杆の中央水平杆部内に軸線方向に摺動可能に挿通され、ワイヤを介して前記ロック部材に接続されている左右の摺動子から突設された突起がそれぞれ係合されていることを特徴とする。
【００１４】
請求項４に係る発明は、請求項３に係る発明において、上記プレート部材には操作レバー側に向かって下方に傾斜する傾斜板部が形成されており、その傾斜板部に操作レバーの先端部を圧接することによりプレート部材が前記手押し杆の中央水平杆部の軸線に直交する方向に進退することを特徴とする。
【００１５】
請求項５に係る発明は、手押し杆を構成する左右のパイプの頂端水平部にそれぞれ上下方向に延びる円筒状部材を固着し、上記左右の円筒状部材に対して手押し杆の中央水平杆部の端部を上記円筒状部材の軸線方向に摺動可能に、且つ上記円筒状部材がその軸線回りに回動可能となるように連結するとともに、中央水平杆部の端部に設けられた突起部を上記円筒状部材に設けられた傾斜案内溝に係合させ、手押し杆の中央水平杆部を上記円筒状部材に対して相対的に上下方向に摺動させることによって円筒状部材を回動させ、上記手押し杆を構成する左右のパイプを折り畳み或いは展開状態とするようにしたことを特徴とする。
【００１６】
請求項６に係る発明は、請求項５に係る発明において、上記円筒状部材は互いに同心状に配設され相対的に軸線回りに回動可能な内筒及び外筒により構成されており、内筒及び外筒の側面には前記中央水平杆部の上下動及び上記円筒状部材の回動を許容する開口部が形成されるとともに、上記内筒に傾斜案内溝が設けられ、内筒及び外筒は両筒と同芯状に配設されたコイルばねによって連動連結されていることを特徴とする。
【００１７】
請求項７に係る発明は、請求項５または６に係る発明において、上記中央水平杆部の両端部には左右に進退可能なロック爪片が設けられており、円筒状部材の開口部の上部には手押し杆が展開状態時に上記ロック爪片が係合してその展開状態を維持する第１の切り欠き凹部が形成され、開口部の下部には手押し杆の折り畳み時に上記ロック爪片が係合し折り畳み状態を維持する第２の切り欠き凹部が形成されていることを特徴とする。
【００１８】
請求項８に係る発明は、請求項７に係る発明において、上記中央水平杆部には、ベビーカーの展開状態を維持するロック部材の解除操作を行う解除操作装置が設けられており、その解除操作装置の操作レバーに上記ロック爪片が連動連結されていることを特徴とする。
【００１９】
請求項９に係る発明は、三つ折りタイプのベビーカーの手押し杆の中間部の２カ所をジョイントにより互いに折り畳み可能に連結するとともに、両ジョイント間の中央水平杆部に設けられたハウジング内に、操作レバーによって中央水平杆部の軸線まわりに回動される歯車を設け、その歯車に一端を固着された形状記憶スプリングが中央水平杆部の軸線に沿うようにしてジョイントを越えて延び、その形状記憶スプリングの他端が上記ジョイントの外側ヒンジに固着され、形状記憶スプリングは、操作レバーからの操作によって歯車が回動して捻りを加えられると、中央水平杆部の軸線に直交する軸線まわりに曲がる、ことを特徴とする。
【００２１】
請求項１０に係る発明は、三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、後側連結バーは、中間バーと、中間バーの左右にジョイントを介して連結された端部バーとを有し、折り畳み操作機構は、中間バーに嵌装された筒状体と、筒状体の左右にそれぞれ固設された第１の傘歯車と、ジョイントのジョイント軸にそれぞれ装着されるとともに第１の傘歯車にそれぞれ噛合する第２の傘歯車と、筒状体から外側方に突出する操作レバーとを有することを特徴とする。
【００２２】
請求項１１に係る発明は、請求項１０に係る発明において、操作レバー内には中間バーに対する筒状体の位置固定を行うロックピンが摺動可能に設けられていることを特徴とする。
【００２３】
請求項１２に係る発明は、請求項１０または１１に係る発明において、操作レバーはその基端部が筒状体に対し所定角度だけ前後に揺動可能に枢着されており、上記操作レバー内に配設されたロックピンの外端部に設けられたガイドピンが、操作レバーの対向する内面に設けられた後方自由端側に向かって拡開するＶ字状のガイド溝に係合されていることを特徴とする。
【００２４】
請求項１３に係る発明は、請求項１０に係る発明において、筒状体に固設された第１の傘歯車に噛合する第２の傘歯車を、ジョイント軸と同心状のコイルばねによって、後側連結バーに設けられたジョイントの外側ヒンジに連結したことを特徴とする。
【００２５】
請求項１４に係る発明は、請求項１０に係る発明において、第２の傘歯車にそれぞれフランジ状部材を固設し、その各フランジ状部材を連結杆を介してそれぞれ左右の端部バーに連結するとともに、左右のフランジ状部材間に、そのフランジ状部材を介して左右の端部バーを折り畳み状態に付勢するスプリングを張設したことを特徴とする。
【００２６】
請求項１５に係る発明は、請求項１４に係る発明いおいて、前脚を連結する前側連結バーにおける左右の端部バー間にも、左右の端部バーを折り畳み状態に付勢するスプリングを張設したことを特徴とする。
【００２７】
請求項１６に係る発明は、三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、後側連結バーは、中間バーと、中間バーの左右にジョイントを介して連結された端部バーとを有し、折り畳み操作機構は、中間バーに回動可能に装着されたプーリーと、プーリーに設けられた操作レバーと、プーリーにそれぞれその一端が固着された２本のワイヤとを有し、各ワイヤの他端を案内部材を介して左右の端部バーに連結したことを特徴とする。
【００２８】
請求項１７に係る発明は、請求項１６に係る発明において、操作レバー内には中間バーに対する筒状体の位置固定を行うロックピンが摺動可能に設けられていることを特徴とする。
【００２９】
請求項１８に係る発明は、請求項１７に係る発明において、操作レバーの後端部にはロック解除操作片が揺動可能に枢着されており、そのロック解除操作片がリンクを介して上記ロックピンに連結されていることを特徴とする。
【００３０】
請求項１９に係る発明は、三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、後側連結バーは、中間バーと、中間バーの左右にジョイントを介して連結された端部バーとを有し、折り畳み操作機構は、中間バーに嵌装され、左右対称的な傾斜長穴が設けられた筒状体と、筒状体に設けられた操作レバーと、上記中間バーに沿って移動可能な左右一対の連結杆とを有し、各連結杆の一端を左右の各ジョイントの外側ヒンジに対して各ジョイントの偏心位置にそれぞれ連結し、各連結杆の他端部に設けられた突起部を上記筒状体の傾斜長穴に係合したことを特徴とする。
【００３１】
請求項２０に係る発明は、三つ折りタイプのベビーカーの左右の後脚を、中間部の２カ所がジョイントにより互いに折り畳み可能とされた後側連結バーにより連結するとともに、その後側連結バーに足によって操作可能な折り畳み操作機構を設け、後側連結バーは、中間バーと、中間バーの左右にジョイントを介して連結された端部バーとを有し、折り畳み操作機構は、中間バーの一側に設けられた片方の端部バーに一体的に設けられ、その端部バーを延長するように形成された操作杆と、その操作杆の中間部と他方の端部バーの中間部とを連結するリンクとを有することを特徴とする。
【００３２】
【発明の実施の形態】
以下添付図面を参照して本発明の実施の形態について説明する。
【００３３】
図１は本発明の第１の実施の形態の概略構成を示す図であって、手押し杆の中央水平杆部３０の両端部にはそれぞれ第１の傘歯車３１が装着されている。上記第１の傘歯車３１はジョイントケーシング３２内に配設されており、そのジョイントケーシング３２により上記中央水平杆部３０の端部が軸線回りに回動可能に軸支されている。上記ジョイントケーシング３２内には上記中央水平杆部３０の軸線と直交する回動軸３３が軸支されており、その回動軸３３の端部に上記第１の傘歯車３１と噛合する第２の傘歯車３４が固着されている。
【００３４】
上記回動軸３３には中間部にその軸線に対して直交する方向に突出するパイプ取付部３５が突設されており、そのパイプ取付部３５がジョイントケーシング３２に設けられた開口３６を通ってジョイントケーシング３２外に突出され、そのジョイントケーシング３２から外方に突出したパイプ取付部３５に逆Ｌ字状に形成された左右のパイプ（図示せず）の頂端水平部が固着されている。ジョイントケーシング３２に設けられた開口３６は周方向に約９０°の範囲だけ延びており、上記パイプ取付部３５即ち左右のパイプの頂端水平部が、中央水平杆部３０と同一軸線上となる展開状態、或いはそれと直交するようになる折り畳み状態間を移動し得るようにしてある。一方、中央水平杆部３０には折り畳み操作装置のハウジング３７が固定ピン３８により固着されている。
【００３５】
しかして、上記ハウジング３７の先端部を上方に持ち上げるようにすると、それとともに中央水平杆部３０が図１に於いて矢印方向に回動され、第１の傘歯車３１を介して第２の傘歯車３４がそれぞれ矢印方向に回動され、左右のパイプの頂端水平部が中央水平杆部３０に対して直交している図に示す折り畳み状態から、左右のパイプの頂端水平部が中央水平杆部３０に対して同一軸線上になる展開状態となる。逆に、ハウジング３７の先端部を下方に押し下げると、第１の傘歯車３１および第２の傘歯車３４を介して左右のパイプの頂端水平部は上述と逆に移動し、展開状態から折り畳み状態となる。
【００３６】
ところで、上記ハウジング３７内には、パイプ１８（図１８）の下端部に設けられているロック部材２０とブラケット１９との係合を離脱するロック解除機構が設けられている。すなわち、中央水平杆部３０内には、左右一対の摺動子３９が収納されており、その各摺動子３９にそれぞれ左または右のパイプ１８に設けられているロック部材２０に接続されたワイヤ４０が連結されている。上記中央水平杆部３０には左右一対の軸線方向に延びる長孔４１が設けられており、その長孔４１に図２に示すように摺動子３９から突出された突起４２が挿入係合され、上記摺動子３９が中央水平杆部３０内を軸線方向に移動し得るようにしてある。
【００３７】
また、ハウジング３７内には、図２に示すように、前記ロック解除操作用の操作レバー４３が揺動可能に枢着されるとともに、その操作レバー４３の揺動により中央水平杆部３０の軸線に直交する方向に進退するプレート部材４４が設けられている。上記操作レバー４３はスプリング４５により常時上方に付勢されている。一方、上記プレート部材４４には中央水平杆部３０の方向に向かって上方に傾斜する傾斜面４４aが設けられるとともに、中央水平杆部３０の上方に位置する上面には中央水平杆部３０の軸線に対して傾斜した一対の長孔４４bが形成され、その長孔４４bに前記摺動子３９から突出された突起４２が挿入係合されている。また、上記プレート部材４４はスプリング４６により操作レバー４３の方向に付勢されている。
【００３８】
さらに、ハウジング３７内には、上記プレート部材４４の先端側すなわち中央水平杆部３０と反対側に断面Ｌ字状のセフティレバー４７が中央水平杆部３０の軸線に直交する方向に進退可能に配設されている。上記セフティレバー４７は図示しないスプリングによりプレート部材４４側に付勢されており、その状態においてはセフティレバー４７の頂端部に操作レバー４３の先端部が当接し、操作レバー４３の作動が阻止されている。また、上記セフティレバー４７の下面には操作ボタン４８が突設されており、その操作ボタン４８がハウジング３７に設けられた開口３９を経てハウジング３７の外方に突出されている。
【００３９】
しかして、操作ボタン４８によりセフティレバー４７を図２に於いて左方に移動させ、操作レバー４３との係合を解放した後、操作レバー４３をスプリング４５に抗して押圧すると、その先端部がプレート部材４４の傾斜面４４aに当接し、その傾斜面４４aの作用によりプレート部材４４が中央水平杆部３０の軸線に直交する方向に移動する。したがって、中央水平杆部３０の軸線に対して傾斜した一対の長孔４４bと前記摺動子３９から突出された突起４２との係合により左右の摺動子３９が近ずく方向に移動し、ワイヤ４０を介してロック部材２０がブラケット１９の係止部から離脱され、ベビーカーが折り畳み可能状態となる。
【００４０】
そこで、上述のように操作レバー４３を操作してロック部材２０を解放状態とし、前脚１２と後脚１４が互いに平行状態となるように折り畳んだ後、それに引き続いてハウジング３７の先端部を下方に押し下げるように回動させると、第１の傘歯車３１および第２の傘歯車３４を介してパイプ取付部３５とともに左右のパイプ１８が展開状態から折り畳み状態となる。また、この折り畳み状態からハウジング３７を逆方向に回動させると、左右のパイプ１８の頂端水平部が中央水平杆部３０と同一軸線上になり、ベビーカーを使用可能な展開状態となる。
【００４１】
すなわち、ベビーカーの折り畳み或いは展開を手元においてハウジング３７を回動させるだけで行うことができ、利用者が上記ハウジング３７から一度も手を離すことなく連続した動作でベビーカーを折り畳むことができ、また展開を行うことができる。
【００４２】
ところで、上記実施の形態においてはセフティレバー４７を設けたものを示したが、図３に示すように、セフティレバー４７を省略することもできる。
【００４３】
図４及び図５は、本発明の第２の実施の形態を示す図であり、手押し杆を構成する左右のパイプ１８の頂端水平部には、それぞれ上下方向に延びる円筒状部材５０が固着されている。そして上記両円筒状部材５０の対向側面には開口５１が設けられており、その開口５１を通して手押し杆の中央水平杆部３０の端部が円筒状部材５０内に挿入され、上記中央水平杆部３０によって左右の円筒状部材５０が連結されている。すなわち、上記各円筒状部材５０にはその中心に上下方向に延びる案内杆５２が貫装されており、その案内杆５２に中央水平杆部３０の端部が嵌装され、中央水平杆部３０が上記案内杆５２に沿って上下方向に移動可能としてある。また、上記円筒状部材５０に設けられた開口５１は、上述のように中央水平杆部３０が上下方向に移動できるだけでなく、その中央水平杆部３０に対して各円筒状部材５０が案内杆５２を中心として約９０°の範囲で回動可能となる大きさとしてある。
【００４４】
ところで、上記円筒状部材５０は互いに同心状に配設された内筒５０a及び外筒５０bによって構成されており、上記内筒５０aと外筒５０bとは両筒と同心状に配設されたコイルばね５３により連結され、内筒５０aに対して外筒５０bがコイルばね５３を介して連動して回動するようにしてある。また、中央水平杆部３０は外筒５０bを経て内筒５０a内に挿入されており、その先端部に中央水平杆部３０の軸線と平行方向に延びる突起部５４が突設されている。また、上記内筒５０aには傾斜案内溝５５が形成されており、その傾斜案内溝５５に上記突起部５４が係合されている。
【００４５】
しかして、上記中央水平杆部３０を上下方向に移動させると、上記突起部５４と傾斜案内溝５５との係合により内筒５０a及び外筒５０bが案内杆５２を中心として回動し、左右のパイプ１８の頂端水平部が中央水平杆部３０と同一軸線上にある展開状態（図４）、或いは上記頂端水平部が中央水平杆部３０に対して直交する方向となる折り畳み状態（図５）とすることができる。
【００４６】
ところで、上記中央水平杆部３０には、パイプ１８（図１９）の下端部に設けられているロック部材２０とブラケット１９との係合を離脱するとともに、上記展開状態、或いは折り畳み状態を保持させるロック装置のロック解除機構が設けられている。すなわち、中央水平杆部３０は好適には断面コ字状の金属部分で形成されたフレーム３０aとこのフレーム３０aを両側から覆うケース３０bとにより構成されている。このように構成された中央水平杆部３０内には、ワイヤ巻き取りプーリ５６が装着されており、この巻き取りプーリ５６にそれぞれ左または右のパイプ１８に設けられているロック部材２０に接続されたワイヤ４０が連結されている。
【００４７】
この巻き取りプーリ５６には操作レバー５７が中央水平杆部３０の長手方向と直交方向に延びる支軸５８を共軸として一体的に構成されており、上記ケース３０bから下方に突出している操作レバー５７を操作することにより巻き取りプーリ５６が回動し、ワイヤ４０を介してロック部材２０が解放されるようにしてある。
【００４８】
フレーム３０aの上面には図６に示すように、ほぼ中央にピニオン６０が軸支されている。このピニオン６０の両側には、これに噛み合う一対のラック６１a、６１bが左右方向にスライド可能にフレーム３０aに支持されており、一方のラック６１aには、図６の（ａ）、（ｂ）に破線で示すように、ワイヤ巻き取りプーリ５６に向かってコ字形の受枠６２が突設されて、操作レバー５７の爪部５７aに引っかかるように構成されている。
【００４９】
しかして、操作レバー５７が作動されるとその爪部５７aが受枠６２に当接し、一方のラック６１aが一方（図に於いて右方）の円筒状部材５０から離れる方向に移動され、このとき他方のラック６１bもピニオン６０を介して他方の円筒状部材５０から離れる方向にスライドする。
【００５０】
上記各ラック６１a、６１bの先端部には、図４及び図５に示すように、上下方向に延びるロック爪片６３が形成されており、円筒状部材５０に設けられている切り欠き凹部に選択的に係合するようにしてある。
【００５１】
すなわち、前記円筒状部材５０の内筒５０a及び外筒５０bにはそれらの開口５１の上縁部に、手押し杆が展開状態の時に上記ロック爪片６３が係合する切り欠き凹部６４aが形成されており、また上記開口５１の下縁部には、手押し杆が折り畳み状態の時にロック爪片６３が係合する切り欠き凹部６４bが形成されている。すなわち、切り欠き凹部６４aおよび６４bは周方向にほぼ９０°だけ変位されている。
【００５２】
しかして、ベビーカーが使用可能な展開状態の時には、図４及び図６の（ａ）に示すように、ロック爪片６３が切り欠き凹部６４aに係合しており、手押し杆が展開状態に保持されている。
【００５３】
そこで、操作レバー５７を操作して図４に於いて反時計方向に回動させると、ラック６１a、６１bが互いに収縮方向に移動してロック爪片６３が切り欠き凹部６４aから離脱する。この状態で中央水平杆部３０を下方に押し下げると、突起部５４と傾斜案内溝５５との係合により内筒５０aが案内杆５２を中心として回動する。したがって、この状態で中央水平杆部３０を若干持ち上げるようにして手押し杆に加わっている力を小さくすると、内筒５０aの回動によってコイルばね５３に蓄積されていた応力によって外筒５０bが内筒５０aに追従して同方向に回動し、手押し杆の頂端水平部が中央水平杆部３０の軸線に対して直交する方向に移動し、つまり図６（ｂ）に示すような折り畳み状態となる。そしてこの場合にはロック爪片６３が切り欠き凹部６４bに係合し、この折り畳み状態に保持される。
【００５４】
一方、折り畳み状態から展開する場合には、前述と同様に操作レバー５７を操作してロック爪片６３を切り欠き凹部６４bから離脱し、中央水平杆部３０を上方に持ち上げると、突起部５４と傾斜案内溝５５との係合により内筒５０aが前述と逆方向に回動する。そこで中央水平杆部３０をさらに持ち上げると外筒５０bがコイルばね５３を介して内筒５０aに追従して内筒５０aと同じ方向に回動し、手押し杆が展開状態になり、ロック爪片６３の切り欠き凹部６４aとの係合によりその状態に保持される。
【００５５】
すなわち、ベビーカーの折り畳み或いは展開を手元において中央水平杆部３０を上下動させるだけで行うことができ、利用者が上記中央水平杆部３０から一度も手を離すことなく連続した動作でベビーカーを折り畳むことができ、また展開を行うことができる。
【００５６】
図７及び図８は本発明の第３の実施の形態を示す図であって、中央水平杆部３０には折り畳み操作装置のハウジング６５が設けられており、そのハウジング６５内には従来の装置と同様に操作レバー６６によって回動操作されるワイヤ巻き取りプーリ６７が配設されている。しかして、上記操作レバー６６によってワイヤ巻き取りプーリ６７を回動操作することにより、従来と同様にベビーカーのロック部材２０の解除が行われる。
【００５７】
上記ハウジング６５の両側にはそれぞれジョイント６８を介して手押し杆を構成するパイプ１８が連結されている。すなわち、上記ハウジング６５の両端部には内側ヒンジ６９が設けられており、その内側ヒンジ６９の先端部に外側ヒンジ７０が中央水平杆部３０の軸線に直交する軸線７１のまわりに回動可能に連結されている。そして上記外側ヒンジ７０のパイプ取付部７０aに上記パイプ１８が装着されている。
【００５８】
また、上記ハウジング６５内には上記操作レバー６６によって回動される左右一対の駆動歯車７２が設けられており、その各駆動歯車７２にそれぞれ従動歯車７３が噛合されている。その各従動歯車７３の中心には形状記憶スプリング７４の一端が固着されており、その形状記憶スプリング７４の他端部が前記外側ヒンジ７０内に固着されている。
【００５９】
したがって、図７に示すように手押し杆が展開の状態において、操作レバー６６を操作し駆動歯車７２を回動すると、それに応じて従動歯車７３が回動し形状記憶スプリング７４に捻りが加えられる。そのため形状記憶スプリング７４がその捻りに対応して記憶されている形状すなわちほぼ直角に曲がり、図８の左に示すように、左右の外側ヒンジ７０が中央水平杆部３０の軸線に直交する方向に回動され、左右のパイプ１８が折り畳み状態に保持される。また、逆の場合には形状記憶スプリング７４が直線状態になり、手押し杆が展開状態に保持される。
【００６０】
図９は、本発明の第４の実施の形態を示す図であり、ベビーカーの左右の後脚を連結する後側連結バー２２に折り畳み操作装置が設けられている。すなわち、左右の後脚を連結する後側連結バー２２はその中間部の２カ所にジョイント７５、７５が設けられ、中間バー２２aの両端部にジョイント７５、７５を介して左右の端部バー２２b、２２bが連結されている。
【００６１】
上記中間バー２２aには筒状体７６が嵌装されており、その筒状体７６の両端部には第１の傘歯車７７が固設されている。また上記ジョイント７５のジョイント軸７８には上記第１の傘歯車７７に噛合する第２の傘歯車７９が軸支され、その第２の傘歯車７９がジョイント７５の外側ヒンジ７５aに固着されている。
【００６２】
上記筒状体７６にはベビーカーの後方斜め上方に延びる操作レバー取付部材８０が突設されており、その操作レバー取付部材８０に中空状の操作レバー８１が所定角度揺動可能に枢着されている。上記操作レバー８１内には図示しないスプリングによって先端が中間バー２２a方向に突出するように付勢されたロックピン８２が軸線方向に摺動可能に配設されている。上記ロックピン８２の他端部には左右に突出するガイドピン８３が設けられており、そのガイドピン８３が上記操作レバー８１の互いに対向する内面に設けられ、中間バー２２から離れる方向すなわち後方自由端側に向かって拡開するＶ字状に構成された案内溝８４に係合されている。また、前記中間バー２２aには、後側連結バー２２が展開状態及び折り畳み状態の時に上記ロックピン８２の先端部が挿入係合される係合口８５a、８５bが穿設されている。なお、上記ジョイント７５部は鎖線で示すようにカバーにより覆われている。
【００６３】
しかして、後側連結バー２２が展開状態の時には、図９に示すように、ロックピン８２の先端が中間バー２２aの係合口８５aに係合しており、その展開状態に維持されている。したがって、ベビーカーを折り畳む場合には、操作レバー８１を足等により操作レバー取付部材８０に対して揺動させると、ガイドピン８３と案内溝８４との係合によりロックピン８２が引き抜き方向に移動され、ロックピン８２の先端が係合口８５aから解放される。そこで、上記操作レバー８１を足等によって下方に押し下げると、筒状体７６が中間バー２２aの回りに回動される。したがって、第１の傘歯車７７を介して第２の傘歯車７９がジョイント軸の軸線の回りに回動され、その第２の傘歯車７９の回動により端部バー２２bが前方に回動され、折り畳み状態となる。逆に展開する場合には、操作レバー８１を逆方向に操作すれば、第１の傘歯車７７及び第２の傘歯車７９を介して端部バー２２bが展開し、ベビーカーを使用可能な展開状態とすることができる。
【００６４】
図１０は図９の変形例を示す図であり、第２の傘歯車７９がそれと同一軸線上に設けられたコイルばね８６を介して外側ヒンジ７５aに連結されている。すなわち、コイルばね８６の一端が第２の傘歯車７９に連結され、他端が外側ヒンジ７５aに連結されている。
【００６５】
しかして、この場合には操作レバー８１によって筒状体７６を回動すると、第１の傘歯車７７を介して第２の傘歯車７９が回動し、コイルばね８６に回転力が蓄積される。そこで後輪側を若干持ち上げ後輪側の負荷を低減すると、上記コイルばね８６に蓄積されている回転力により外側ヒンジ７５aが回動され、端部バー２２bが前方に回動されて折り畳み状態となる。
【００６６】
図１１は本発明の第５の実施の形態を示す図であり、後側連結バー２２は中間部２カ所にジョイント７５が設けられ、そのジョイント７５により折り畳み可能としてある。上記ジョイント７５、７５間の中間バー２２aには筒状体７６が嵌装されており、その筒状体７６の両端部に第１の傘歯車７７が固設されている。そして上記各ジョイント７５のジョイント軸７８には上記第１の傘歯車７７に噛合する第２の傘歯車７９が装着されている。上記第２の傘歯車７９にはフランジ状部材８７が一体的に固設されており、そのフランジ状部材８７の先端部がそれぞれ連結杆８８によって左右の端部バー２２bに連結されている。また、左右のフランジ状部材８７は、図１２に示すように、上記ジョイント軸７８に対した偏芯した位置がスプリング８９により連結され、そのフランジ状部材８７によりフランジ状部材８７とともに左右の端部バー２２bが前方へ回動するように付勢されている。なお、符号９０は筒状体７６に設けられた操作レバーである。
【００６７】
しかして、図１１に示す展開状態から後側連結バー２２を折り畳むときには、操作レバー９０を矢印に示すように上方に持ち上げると、第１の傘歯車７７、第２の傘歯車７９、及びフランジ状部材８７を介して端部バー２２bが、図１２で鎖線で示すように、前方に回動される。この場合にはスプリング８９により左右の端部バー２２bが前方へ回動するように付勢されているので、操作レバー９０には小さい力を加えるだけでよく、比較的に簡単に折り畳み状態とすることができる。
【００６８】
一方、後側連結バー２２を展開状態にする場合には、操作レバー９０を押し下げることにより第１の傘歯車７７、第２の傘歯車７９、及びフランジ状部材８７を介して端部バー２２bが後方に回動され、展開状態とすることができる。
【００６９】
ところで、上記実施の形態においては後側連結バー２２がスプリング８９により折り畳み方向に付勢されているが、さらにその付勢力を強化するためには、図１３に示すように、前側連結バー２１の左右の端部バー２１b間にスプリング９１を張設することにより、その左右の端部バー２１bを折り畳み方向に付勢するようにしてもよい。
【００７０】
図１４及び図１５は、本発明の第６の実施に形態を示す図であって、左右の後脚を連結する後側連結バー２２は中間の２つのジョイント７５によって折り畳み可能としてある。上記後側連結バー２２の中間バー２２aには、左右一対の円板９３a、９３aを操作レバー９２の基部により連結したような構造を有するプーリー９３が回動可能に装着されており、そのプーリー９３にはその外周部に周方向同一方向に向くように２本のワイヤ９４の一端が固着されている。また上記中間バー２２aには、上記２本のワイヤ９４をそれぞれ案内する案内部材９５が左右一対の円板９３a、９３a間から前方に突設されており、一端が上記プーリー９３に装着されたワイヤ９４が上記案内部材９５で互いに交差するように案内され、そのワイヤ９４の他端部が左右の端部バー２２bの中間部に連結されている。
【００７１】
上記プーリー９３に設けられた操作レバー９２は中空状に形成されており、その操作レバー９２内にはスプリング９６によって先端が中間バー２２a方向に突出するように付勢されたロックピン９７が軸線方向に摺動可能に配設されている。また、上記操作レバー９２の外方自由端部には摘み９８によって回動可能な板体９９が軸支されており、その板体９９と上記ロックピン９７の他端部がリンク１００によって連結されている。また、前記中間バー２２aには、後側連結バー２２が展開状態及び折り畳み状態の時に上記ロックピン９７の先端部が挿入係合される係合口８５a、８５bが穿設されている。
【００７２】
しかして、後側連結バー２２が展開状態の時には、図１４に示すように、ロックピン９７の先端が中間バー２２aの係合口８５aに係合しており、その展開状態に維持されている。したがって、ベビーカーを折り畳む場合には、摘み９８を操作レバー９２に対して揺動させると、板体９９及びリンク１００を介してロックピン９７が引き抜き方向に移動され、ロックピン９７の先端が係合口８５aから解放される。そこで、上記操作レバー９２を下方に押し下げると、プーリー９３が中間バー２２aの回りに回動される。したがって、上記プーリー９３に装着されているワイヤ９４が引っ張られ、端部バー２２bが前方に回動され、折り畳み状態となる。
【００７３】
図１６は本発明の第７の実施の形態を示す図であって、後側連結バー２２の中間バー２２aには操作レバー１０１が設けられた筒状体１０２がその中間バー２２aの回りに回動可能に嵌装されている。上記筒状体１０２にはその前面側に一対の傾斜長穴１０３がハ字状に形成されており、その各傾斜長穴１０３には、中間バー２２aに沿い軸線方向に互いに接近・離間方向に摺動可能な連結杆１０４の一端から突設された突起部１０５が係合されている。そして上記連結杆１０４の他端がロッド１０６によりジョイント７５の外側ヒンジ７５aに対してその偏芯位置に連結されている。
【００７４】
しかして、図１６に示す展開状態において、操作レバー１０１を上方に持ち上げるようにして筒状体１０２を回動させると、傾斜長穴１０３と突起部１０５との係合により左右の連結杆１０４が互いに接近する方向に移動し、ロッド１０６によりジョイント７５の外側ヒンジ７５aがジョイント軸７８回りに回動され、端部バー２２bが前方側に折り畳まれる。一方、展開状態にする場合にはその逆の操作を行う。
【００７５】
図１７は本発明の第８の実施の形態を示す図であり、後側連結バー２２の中間部２カ所にジョイント７５が設けられ折り畳み可能としてある。ジョイント７５を介して連結されている一方の端部バー２２bには、その端部バー２２bを延長して形成された操作杆１０７が一体的に設けられている。そして、上記操作杆１０７の中間部が他方の端部バー２２bの中間部にリンク１０８により連結されている。
【００７６】
図１８（ａ）は、展開状態にある後側連結バー２２の平面図であり、この状態から後側連結バー２２を折り畳み状態にする場合には、操作杆１０７を後方に引っ張るようにすると、その操作杆１０７が設けられている端部バー２２bが上記操作杆１０７とともにジョイント軸を中心として回動する状態となり、これとともにリンク１０８によって他方の端部バー２２bも中間バー２２aに対して前方に折り畳まれ、図１８の（ｂ）に示すような折り畳み状態となる。
【００７７】
これに対し、この折り畳み状態から展開状態にする場合には、操作杆１０７を前方に押すことにより図１８の（ａ）のような展開状態とすることができる。
【００７８】
【発明の効果】
本発明は上述のように構成したので、ベビーカーの三つ折り状態への折り畳み操作を遠隔操作によって行うことができ、利用者がベビーカーの中央構成部品から一度も手を離すことなく連続した動作で比較的簡単な操作によりベビーカーを折り畳むことができる。
【図面の簡単な説明】
【図１】本発明の第１の実施の形態の断面斜視図。
【図２】図１の折り畳み装置の側断面図。
【図３】図２の変形例を示す図。
【図４】本発明の第２の実施に形態でベビーカーの展開状態を示す図。
【図５】本発明の第２の実施に形態でベビーカーの折り畳み状態を示す図。
【図６】（ａ）、（ｂ）は上記第２の実施に形態の作動説明図。
【図７】本発明の第３の実施の形態を示す断面図。
【図８】図７の作動説明図。
【図９】本発明の第４の実施の形態の一部断面斜視図。
【図１０】図９の変形例を示す図。
【図１１】本発明の第５の実施の形態を示す斜視図。
【図１２】図１１の底面図。
【図１３】前側連結バーに折り畳み状態に付勢するスプリングを設けた状態を示す図。
【図１４】本発明の第６の実施に形態を示す一部断面斜視図。
【図１５】図１４の平面図。
【図１６】本発明の第７の実施の形態を示す斜視図。
【図１７】本発明の第８の実施に形態を示す斜視図。
【図１８】（ａ）、（ｂ）は図１７の作動説明図。
【図１９】本発明に係るベビーカーの斜視図。
【図２０】図１９のベビーカーを三つ折りに折り畳んだ状態を示す図。
【符号の説明】
１５  手押し杆
１８  パイプ
２０  ロック部材
２２  後側連結バー
２２a  中間バー
２２b  端部バー
３０  中央水平杆部
３１  第１の傘歯車
３３  回動軸
３４  第２の傘歯車
３５  パイプ取付部
３６  開口
３７  ハウジング
３９  摺動子
４０  ワイヤ
４２  突起
４３  操作レバー
４４a  傾斜面
４４b  長孔
５０  円筒状部材
５０a  内筒
５０b  外筒
５１  開口
５２  案内杆
５３  コイルばね
５４  突起部
５５  傾斜案内溝
５６  ワイヤ巻き取りプーリ
５７  操作レバー
６０  ピニオン
６１a、６１b  ラック
６３  ロック爪片
６４a、６４b  切り欠き凹部
６５  ハウジング
６６  操作レバー
６７  ワイヤ巻き取りプーリ
６８  ジョイント
６９  内側ヒンジ
７０  外側ヒンジ
７２  駆動歯車
７３  従動歯車
７４  形状記憶スプリング
７５  ジョイント
７６  筒状体
７７  第１の傘歯車
７９  第２の傘歯車
８０  操作レバー取付部材
８１  操作レバー
８２  ロックピン
８３  ガイドピン
８４  案内溝
８５a、８５b  係合口
８７  フランジ状部材
９０  操作レバー
９２  操作レバー
９３  プーリー
９４  ワイヤ
９７  ロックピン
９８  掴み
１００  リンク
１０１  操作レバー
１０２  筒状体
１０３  傾斜長穴
１０４  連結杆
１０５  突起部
１０６  ロッド
１０７  操作杆
１０８  リンク
【図１】
0004937473.tif 000002
【図２】
0004937473.tif 000003
【図３】
0004937473.tif 000004
【図４】
0004937473.tif 000005
【図５】
0004937473.tif 000006
【図６】
0004937473.tif 000007
【図７】
0004937473.tif 000008
【図８】
0004937473.tif 000009
【図９】
0004937473.tif 000010
【図１０】
0004937473.tif 000011
【図１１】
0004937473.tif 000012
【図１２】
0004937473.tif 000013
【図１３】
0004937473.tif 000014
【図１４】
0004937473.tif 000015
【図１５】
0004937473.tif 000016
【図１６】
0004937473.tif 000017
【図１７】
0004937473.tif 000018
【図１８】
0004937473.tif 000019
【図１９】
0004937473.tif 000020
【図２０】
0004937473.tif 000021